【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】 ５−アルキル−レゾルシノール、カンナビノール、カンナビジオール、カンナビゲロールおよびそれらの組合せからなる化合物群からの１または２以上の化合物を含有する、同種異系移植片拒絶、ＨＩＶ疾患、ＳＩＶ疾患またはＦＩＶ疾患の治療剤。
【請求項２】  少なくとも一つの化合物が以下の式を有する５−アルキル−レゾルシノール誘導体である、請求項１に記載の剤：
【化１】
2002539246.tif 000001
式中、Ｒ1は、
ａ）Ｈ、
ｂ）Ｃ1-4アルキル基またはそのエステル、
ｃ）ＣＯＯＨ、
ｄ）ＯＨ、
ｅ）モノもしくはジメチルアミノ基またはモノもしくはジエチルアミノ基で任意に置換されるＯ−Ｃ1-5アルキルまたはアルカノイル、
ｆ）カルボキシル基またはアミノ基を含むＯ−ＣＯ−Ｃ3-10アルキル基、
ｇ）
【化２】
2002539246.tif 000002
式中、ｎ＝１〜８
ｈ）ｐ−アミノベンジル基もしくはＣ1-7アミノアルキル基またはその有機酸もしくは無機酸付加塩、ｐ−アミノベンジル基もしくはアミノアルキル基のイソシアネートまたはイソチオシアネート誘導体、１〜７個のさらなる炭素原子を有するアミノアルキル基の末端カルボキシル化誘導体またはその塩および該末端カルボキシル化誘導体の活性化誘導体であるか、あるいは
ｉ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ2は、
ａ）Ｈ、ＯＨまたはハロゲン
ｂ）Ｃ1-6カルボキシ基またはアルコキシ基であるか、あるいは
ｃ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ3は、
ａ）（Ｗ）m−Ｙ−（Ｚ）n、式中、
Ｗは少なくとも１つのハロゲンで任意に置換されるＣ5-12アルキル基、アルケニル基、アルキニル基またはそれらの混合物、
Ｙは結合、Ｏ、Ｓ、ＳＯ、ＳＯ2、ＣＯ、ＮＨ、Ｎ（Ｃ1-6アルキル）またはＮＣＳ、
Ｚは、
ｉ）少なくとも１つのハロゲンで任意に置換され、末端芳香環で任意に置換されるＣ5-12アルキル基、アルケニル基、アルキニル基またはそれらの混合物、
ｉｉ）ＣＮ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2(式中、アミド窒素上の各Ｃ1-4アルキルは同一でも異なってもよい)、あるいは
ｉｉｉ）ハロ、Ｃ1-6アルキル、Ｃ1-6アルコキシ、Ｃ1-6アルキルチオ、ＣＮ、ＣＦ3、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるフェニル基またはベンジル基であり、
また、式中、ｍとｎは同一または異なって、各々０または１であり、
ｂ）末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルキル基またはハロアルキル基、あるいは
ｃ）ハロゲン、ジチオレン、末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルケニル基またはアルキニル基であり、
Ｒ4は、
ａ）Ｈ、
ｂ）ＯＨ、
ｃ）Ｃ1-6アルコキシまたはカルボキシルであり、
Ｒ5は、
ａ）Ｈ、
ｂ）Ｃ1-4アルキル基、
ｃ）ＣＯＯＨ、
ｄ）ＯＨ、あるいは
ｅ）少なくとも１つのモノもしくはジメチルアミノ基またはモノもしくはジエチルアミノ基で任意に置換されるＯ−Ｃ1-5アルキル（エーテル）またはアルカノイルであり、
Ｒ6は、
ａ）ＨまたはＯＨ、
ｂ）Ｃ1-4アルキル基、アルケニル基、アルキニル基またはそれらの混合物、
ｃ）Ｏ−Ｃ1-4アルキル基、アルケニル基、アルキニル基またはそれらの混合物、あるいは
ｄ）任意の位置で、１個又は２個以上のハロゲンで任意に置換されるプレニル基、ゲラニル基またはファルネシル基、
ｅ）（Ｗ）m−Ｙ−（Ｚ）n、式中、
Ｗは少なくとも１つのハロゲンで任意に置換されるＣ5-12アルキル基、アルケニル基、アルキニル基またはそれらの混合物、
Ｙは結合、Ｏ、Ｓ、ＳＯ、ＳＯ2、ＣＯ、ＮＨ、Ｎ（Ｃ1-6アルキル）またはＮＣＳ、
Ｚは、
ｉ）少なくとも１つのハロゲンで任意に置換され、末端芳香環で任意に置換されるＣ5-12アルキル基、アルケニル基、アルキニル基またはそれらの混合物、
ｉｉ）ＣＮ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）、あるいは
ｉｉｉ）ハロ、Ｃ1-6アルキル、Ｃ1-6アルコキシ、Ｃ1-6アルキルチオ、ＣＮ、ＣＦ3、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるフェニル基またはベンジル基であり、
また、式中、ｍとｎは同一または異なって、各々０または１であり、
ｆ）末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルキル基またはハロアルキル基、あるいは
ｇ）ハロゲン、ジチオレン、末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルケニル基またはアルキニル基である。
【請求項３】  Ｒ1がＯＨ、ＯＣＨ3、ラクトン、Ｈ、ＣＨ（ＣＨ3）ＣＯ2ＨまたはＯＣＯＣＨ3である請求項２に記載の剤。
【請求項４】  Ｒ2がＨ、ＯＨ、ハロゲン、ＣＯＯＨまたはメトキシである請求項２または３に記載の剤。
【請求項５】  Ｒ3が分枝したアルキル鎖、アルケニル鎖またはアルキニル鎖である、請求項２〜４のいずれかに記載の剤。
【請求項６】  Ｒ3が、少なくとも一つの二重結合を含む、末端が分枝したＣ6-12アルキル基である、請求項２〜４のいずれかに記載の剤。
【請求項７】  Ｒ3が、ジ−、トリ−もしくはテトラメチルペンチル、−ヘキシルまたは−ヘプチルである、請求項２〜４のいずれかに記載の剤。
【請求項８】  Ｒ3が、ハロゲン化されたか、あるいはかさ高い末端基を含む、請求項２〜４のいずれかに記載の剤。
【請求項９】  Ｒ3が１，１，５−トリメチルヘキシル、１，１，５，５−テトラメチルヘキシルまたは１，１，５−トリメチル−ヘプト−４−エニルである、請求項２〜４のいずれかに記載の剤。
【請求項１０】  Ｒ3が、鎖のＣ4とＣ10の間の炭素原子において少なくとも一つの二重結合を有する炭素原子鎖を含む、請求項２〜４のいずれかに記載の剤。
【請求項１１】  Ｒ3が奇数の炭素原子を有する炭素原子鎖を含む、請求項２〜４のいずれかに記載の剤。
【請求項１２】  Ｒ3が−（ＣＨ2）1-6−ＣＯＮ（ＣＨ3）2である、請求項２〜４のいずれかに記載の剤。
【請求項１３】  Ｒ3がハロアルキルである、請求項２〜４のいずれかに記載の剤。
【請求項１４】  Ｒ5がラクトン、Ｈ、ＯＨまたはＯＣＨ3である、請求項２〜１３のいずれかに記載の剤。
【請求項１５】  Ｒ6がＨ、ＯＨ、メチル、エチル、ＣＨ（ＣＨ3）ＣＯ2ＨＣＨ2ＣＯＯＨまたはＯＣＯＣＨ3である、請求項２〜１４のいずれかに記載の剤。
【請求項１６】  Ｒ1がＯＨまたはＯＣＨ3であり、
Ｒ2がＨであり、
Ｒ3が１，１，５−トリメチルヘキシル、１，１，５，５−テトラメチルヘキシルまたは１，１，５−トリメチル−ヘプト−４−エニルであり、
Ｒ4がＨであり、
Ｒ5がＯＨまたはＯＣＨ3であり、かつ
Ｒ6がＨ、ＯＨ、メチルまたはエチルである、請求項２に記載の剤。
【請求項１７】  少なくとも一つの化合物がカンナビノールまたは以下の式を有するその誘導体である、請求項１に記載の剤：
【化３】
2002539246.tif 000003
式中、Ｒ1は、
ａ）Ｈ、
ｂ）Ｃ1-4アルキル基またはそのエステル、
ｃ）ＣＯＯＨ、
ｄ）ＯＨ、
ｅ）モノもしくはジメチルアミノ基またはモノもしくはジエチルアミノ基で任意に置換されるメトキシもしくはＯ−Ｃ1-5アルキルまたはアルカノイル、
ｆ）カルボキシル基またはアミノ基を含むＯ−ＣＯ−Ｃ3-10アルキル基、
ｇ）
【化４】
2002539246.tif 000004
式中、ｎ＝１〜８、あるいは
ｈ）ｐ−アミノベンジル基もしくはＣ1-7アミノアルキル基またはその有機酸もしくは無機酸付加塩、ｐ−アミノベンジル基もしくはアミノアルキル基のイソシアネートまたはイソチオシアネート誘導体、１〜７個のさらなる炭素原子を有するアミノアルキル基の末端カルボキシル化誘導体またはその塩および該末端カルボキシル化誘導体の活性化誘導体、
ｉ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ2は、
ａ）Ｈ、ＯＨまたはハロゲン
ｂ）Ｃ1-6カルボキシ基またはアルコキシ基であるか、あるいは
ｃ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ3は、
ａ）（Ｗ）m−Ｙ−（Ｚ）n、式中、
Ｗは少なくとも１つのハロゲンで任意に置換されるＣ5-12アルキル基、アルケニル基、アルキニル基またはそれらの混合物、
Ｙは結合、Ｏ、Ｓ、ＳＯ、ＳＯ2、ＣＯ、ＮＨ、Ｎ（Ｃ1-6アルキル）またはＮＣＳで、
Ｚは、
ｉ）末端芳香環で任意に置換されるＣ5-12アルキル基、アルケニル基、アルキニル基またはそれらの混合物、
ｉｉ）ＣＮ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）、あるいは
ｉｉｉ）ハロ、Ｃ1-6アルキル、Ｃ1-6アルコキシ、Ｃ1-6アルキルチオ、ＣＮ、ＣＦ3、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるフェニル基またはベンジル基で、
また、式中、ｍおよびｎは同一または異なって、各々０かまたは１であり、
ｂ）末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルキル基またはハロアルキル基、あるいは
ｃ）ハロゲン、ジチオレン、末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルケニル基またはアルキニル基であり、
Ｒ6とＲ6’は一緒になって＝Ｏまたは＝Ｓを形成するか、あるいは各々が独立して
ａ）水素、
ｂ）Ｃ1-6アルコキシ、Ｃ1-6アルキルチオ、Ｃ1-6アルキルまたはＣ1-6ハロアルキル、
ｃ）ＣＮ、
ｄ）ＣＯ2Ｈ、
ｅ）ＣＯ2−Ｃ1-4アルキル、
ｆ）Ｃ（Ｙ）（Ｚ）−ＯＨ、
ｇ）Ｃ（Ｙ）（Ｚ）−Ｏ−Ｃ1-4アルキル、および
ｈ）Ｃ1-6アルキル−ＣＯ2−Ｙ
（式中、ＹおよびＺは各々独立してＨまたはＣ1-6アルキル）
からなる群より選択され、
Ｒ7は、
ａ）ヒドロキシまたはラクトン、
ｂ）ハロ、
ｃ）Ｃ1-6アルコキシ、Ｃ1-6アルキルチオ、Ｃ1-6アルキルまたはＣ1-6ハロアルキル、
ｄ）ＣＮ、
ｅ）Ｎ3、
ｆ）ＣＯ2Ｈ、
ｇ）ＣＯ2−Ｃ1-4アルキル、
ｈ）Ｃ（Ｙ）（Ｚ）−ＯＨ、
ｉ）Ｃ（Ｙ）（Ｚ）−Ｏ−Ｃ1-4アルキル、
ｊ）Ｃ1-6アルキル−ＣＯ2−Ｙ、あるいは
ｋ）＝Ｏまたは＝Ｓであり、
式中、ＹおよびＺは各々独立してＨまたはＣ1-6アルキルであり、
Ｑは、
ａ）ＯまたはＳ、あるいは
ｂ）Ｎ−Ｗであり、式中、
Ｗは、
ｉ）水素、
ｉｉ）Ｃ1-6アルコキシアルキル、Ｃ1-6アルキルまたはＣ1-6ハロアルキル、
ｉｉｉ）ＯＣ1-6アルキルまたはＯＣ1-6ハロアルキル、
ｉｖ）ＣＮ、
ｖ）Ｃ1-6アルキル、
ｖｉ）Ｃ（Ｙ）（Ｚ）Ｃ1-4アルキル、あるいは
ｖｉｉ）Ｃ1-6アルキル−ＣＯ2−Ｚであり、
式中、ＹおよびＺは各々独立してＨまたはＣ1-6アルキルであり、
Ｃは、
【化５】
2002539246.tif 000005
であり、式中、破線はΔ６位、Δ８位またはΔ９位のいずれかにおける二重結合を示す。
【請求項１８】  Ｒ1およびＲ2がＯ，２プロパン環を形成する請求項１７に記載の剤。
【請求項１９】  Ｒ1がＨまたはＯＨである請求項１７に記載の剤。
【請求項２０】  Ｒ1がメトキシである請求項１７に記載の剤。
【請求項２１】  Ｒ2がヨウ素である請求項１７または１９〜２０のいずれかに記載の剤。
【請求項２２】  Ｒ3が分枝したアルキル鎖、アルケニル鎖またはアルキニル鎖である、請求項１７〜２１のいずれかに記載の剤。
【請求項２３】  Ｒ3が、少なくとも一つの二重結合を含む、末端が分枝したＣ6-12アルキル基である、請求項１７〜２１のいずれかに記載の剤。
【請求項２４】  Ｒ3が、ジ−、トリ−もしくはテトラメチルペンチル、−ヘキシルまたは−ヘプチルである、請求項１７〜２１のいずれかに記載の剤。
【請求項２５】  Ｒ3が、ハロゲン化されたか、あるいはかさ高い末端基を含む、請求項１７〜２１のいずれかに記載の剤。
【請求項２６】  Ｒ3が１，１，５−トリメチルヘキシル、１，１，５，５−テトラメチルヘキシルまたは１，１，５−トリメチル−ヘプト−４−エニルである、請求項１７〜２１のいずれかに記載の剤。
【請求項２７】  Ｒ3が、鎖のＣ4とＣ10の間の炭素原子において少なくとも一つの二重結合を有する炭素原子鎖を含む、請求項１７〜２１のいずれかに記載の剤。
【請求項２８】  Ｒ3が奇数の炭素原子を有する炭素原子鎖を含む、請求項１７〜２１のいずれかに記載の剤。
【請求項２９】  Ｒ3が−（ＣＨ2）1-6−ＣＯＮ（ＣＨ3）2である、請求項１７〜２１のいずれかに記載の剤。
【請求項３０】  Ｒ3がハロアルキルである、請求項１７〜２１のいずれかに記載の剤。
【請求項３１】  Ｒ6とＲ6’が一緒になって＝Ｏを形成するか、あるいは各々がメチル、エチルまたはメトキシである請求項１７〜３０のいずれかに記載の剤。
【請求項３２】  Ｒ7が該Ｃ環の９位にある請求項１７〜３１のいずれかに記載の剤。
【請求項３３】  Ｒ7がＣＯＯＨ、ハロゲン、β−ヒドロキシまたはラクトンである、請求項１７〜３２のいずれかに記載の剤。
【請求項３４】  少なくとも一つの化合物が、カンナビジオールまたは以下の式を有するその誘導体である、請求項１に記載の剤：
【化６】
2002539246.tif 000006
式中、Ｒ1は、
ａ）Ｈ、
ｂ）Ｃ1-4アルキル基またはそのエステル
ｃ）ＣＯＯＨ、
ｄ）ＯＨ、
ｅ）モノもしくはジメチルアミノ基またはモノもしくはジエチルアミノ基で任意に置換されるメトキシもしくはＯ−Ｃ1-5アルキルまたはアルカノイル、
ｆ）カルボキシル基またはアミノ基を含むＯ−ＣＯ−Ｃ3-10アルキル基、
ｇ）
【化７】
2002539246.tif 000007
式中、ｎ＝１〜８、あるいは
ｈ）ｐ−アミノベンジル基もしくはＣ1-7アミノアルキル基またはその有機酸もしくは無機酸付加塩、ｐ−アミノベンジル基もしくはアミノアルキル基のイソシアネートまたはイソチオシアネート誘導体、１〜７個のさらなる炭素原子を有するアミノアルキル基の末端カルボキシル化誘導体またはその塩および該末端カルボキシル化誘導体の活性化誘導体、
ｉ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ2は、
ａ）Ｈ、ＯＨまたはハロゲン
ｂ）Ｃ1-6カルボキシ基またはアルコキシ基であるか、あるいは
ｃ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ3は、
ａ）（Ｗ）m−Ｙ−（Ｚ）n、式中
Ｗは少なくとも一つのハロゲンで任意に置換されるＣ5-12アルキル基、アルケニル基、アルキニル基またはそれらの混合物であり、
Ｙは結合、Ｏ、Ｓ、ＳＯ、ＳＯ2、ＣＯ、ＮＨ、Ｎ（Ｃ1-6アルキル）またはＮＣＳであり、
Ｚは、
ｉ）少なくとも一つのハロゲンで任意に置換され、末端芳香環で任意に置換されるＣ5-12アルキル基、アルケニル基、アルキニル基またはそれらの混合物、
ｉｉ）ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）、あるいは
ｉｉｉ）ハロ、Ｃ1-6アルキル、Ｃ1-6アルコキシ、Ｃ1-6アルキルチオ、ＣＮ、ＣＦ3、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるフェニル基またはベンジル基であり、
また、式中、ｍとｎは同一または異なって、各々０または１であり、
ｂ）末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルキルまたはハロアルキル基、
ｃ）ハロゲン、ジチオレン、末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルケニルまたはアルキニル基であり、
Ｒ5は、
ａ）Ｈ、
ｂ）Ｃ1-4アルキル基
ｃ）ＣＯＯＨ、
ｄ）ＯＨ、または
ｅ）少なくとも一つのモノもしくはジメチルアミノ基またはモノもしくはジエチルアミノ基で任意に置換されるＯ−Ｃ1-5アルキルまたはアルカノイルであり、
Ｒ6は、
ａ）水素、
ｂ）Ｃ1-6アルコキシ、Ｃ1-6アルキルチオ、Ｃ1-6アルキルまたはＣ1-6ハロアルキル、
ｃ）ＣＮ、
ｄ）ＣＯ2Ｈ、
ｅ）ＣＯ2−Ｃ1-4アルキル、
ｆ）Ｃ（Ｙ）（Ｚ）−ＯＨ、
ｇ）Ｃ（Ｙ）（Ｚ）−Ｏ−Ｃ1-4アルキル、または
ｈ）Ｃ1-6アルキル−ＣＯ2−Ｙ、
式中、ＹおよびＺは各々独立してＨまたはＣ1-6アルキルであり、
Ｒ7は、
ａ）ヒドロキシまたはラクトン、
ｂ）ハロ、
ｃ）Ｃ1-6アルコキシ、Ｃ1-6アルキルチオ、Ｃ1-6アルキル、Ｃ1-6カルボキシまたはＣ1-6ハロアルキル、
ｄ）ＣＮ、
ｅ）Ｎ3、
ｆ）ＣＯ2Ｈ、
ｇ）ＣＯ2−Ｃ1-4アルキル、
ｈ）Ｃ（Ｙ）（Ｚ）−ＯＨ、
ｉ）Ｃ（Ｙ）（Ｚ）−Ｏ−Ｃ1-4アルキル、
ｊ）Ｃ1-6アルキル−ＣＯ2−Ｙ、あるいは
ｋ）＝Ｏまたは＝Ｓであり、
式中、ＹおよびＺは各々独立してＨまたはＣ1-6アルキルであり、また、式中、Ｒ7は環Ｃの１、２、５または６位のいずれにあってもよい。
【請求項３５】少なくとも一つの化合物が、カンナビゲロールまたは以下の式を有するその誘導体である、請求項１に記載の剤：
【化８】
2002539246.tif 000008
式中、Ｒ1は、
ａ）Ｈ、
ｂ）Ｃ1-4アルキル基またはそのエステル
ｃ）ＣＯＯＨ、
ｄ）ＯＨ、
ｅ）モノもしくはジメチルアミノ基またはモノもしくはジエチルアミノ基で任意に置換されるメトキシもしくはＯ−Ｃ1-5アルキルまたはアルカノイル、
ｆ）カルボキシル基またはアミノ基を含むＯ−ＣＯ−Ｃ3-10アルキル基、
ｇ）
【化９】
2002539246.tif 000009
式中、ｎ＝１〜８
ｈ）ｐ−アミノベンジル基もしくはＣ1-7アミノアルキル基またはその有機酸もしくは無機酸付加塩、ｐ−アミノベンジル基もしくはアミノアルキル基のイソシアネートまたはイソチオシアネート誘導体、１〜７個のさらなる炭素原子を有するアミノアルキル基の末端カルボキシル化誘導体またはその塩および該末端カルボキシル化誘導体の活性化誘導体、あるいは
ｉ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ2は、
ａ）Ｈ、ＯＨまたはハロゲン
ｂ）Ｃ1-6カルボキシ基またはアルコキシ基であるか、あるいは
ｃ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ3は、
ａ）（Ｗ）m−Ｙ−（Ｚ）n、式中、
Ｗは少なくとも一つのハロゲンで任意に置換されるＣ5-12アルキル基、アルケニル基、アルキニル基またはそれらの混合物、
Ｙは結合、Ｏ、Ｓ、ＳＯ、ＳＯ2、ＣＯ、ＮＨ、Ｎ（Ｃ1-6アルキル）またはＮＣＳであり、
Ｚは、
ｉ）少なくとも１つのハロゲンで任意に置換され、末端芳香環で任意に置換されるＣ5-12アルキル基、アルケニル基、アルキニル基またはそれらの混合物、
ｉｉ）ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）、あるいは
ｉｉｉ）ハロ、Ｃ1-6アルキル、Ｃ1-6アルコキシ、Ｃ1-6アルキルチオ、ＣＮ、ＣＦ3、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるフェニル基またはベンジル基であり、
また、式中、ｍとｎは同一または異なって、各々０または１であり、
ｂ）末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルキル基またはハロアルキル基、
ｃ）ハロゲン、ジチオレン、末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルケニル基またはアルキニル基であり、
Ｒ5は、
ａ）Ｈ、
ｂ）Ｃ1-4アルキル基、
ｃ）ＣＯＯＨ、
ｄ）ＯＨ、あるいは
ｅ）少なくとも一つのモノもしくはジメチルアミノ基またはモノもしくはジエチルアミノ基で任意に置換されるＯ−Ｃ1-5アルキルまたはアルカノイル、
であり、
Ｒ6は、
ａ）水素、
ｂ）Ｃ1-6アルコキシ、Ｃ1-6アルキルチオ、Ｃ1-6アルキルまたはＣ1-6ハロアルキル、
ｃ）ＣＮ、
ｄ）ＣＯ2Ｈ、
ｅ）ＣＯ2−Ｃ1-4アルキル、
ｆ）Ｃ（Ｙ）（Ｚ）−ＯＨ、
ｇ）Ｃ（Ｙ）（Ｚ）−Ｏ−Ｃ1-4アルキル、あるいは
ｈ）Ｃ1-6アルキル−ＣＯ2−Ｙであり、
式中、ＹおよびＺは各々独立してＨまたはＣ1-6アルキルであり、
Ｒ7は、
ａ）ヒドロキシまたはラクトン、
ｂ）ハロ、
ｃ）Ｃ1-6アルコキシ、Ｃ1-6アルキルチオ、Ｃ1-6アルキルまたはＣ1-6ハロアルキル、
ｄ）ＣＮ、
ｅ）Ｎ3、
ｆ）ＣＯ2Ｈ、
ｇ）ＣＯ2−Ｃ1-4アルキル、
ｈ）Ｃ（Ｙ）（Ｚ）−ＯＨ、
ｉ）Ｃ（Ｙ）（Ｚ）−Ｏ−Ｃ1-4アルキル、
ｊ）Ｃ1-6アルキル−ＣＯ2−Ｙ、あるいは
ｋ）＝Ｏまたは＝Ｓであり、
式中、ＹおよびＺは各々独立してＨまたはＣ1-6アルキルであり、また、式中、Ｒ7は２〜５位のいずれの位置にあってもよい。
【請求項３６】 少なくとも２つの化合物を含む、請求項１〜３５のいずれかに記載の剤。
【請求項３７】 少なくとも１つの抗ウィルス剤と連係して補助的に送達するためのものである、請求項１〜３６のいずれかに記載の剤。
【請求項３８】  抗ウイルス剤がアバカビル、アジドチミジン、シドフォビル、デラビルジンメシラート、ジダノシン、ジデオキシシチジン、エファビレンツ、フォスカルネット、ガンシクロビル、インジナビルスルフェート、ラミブジン、ネルフィナビルメシラート、ネビラピン、リトナビル、サキナビル、サキナビルメシラート、スタブジンおよびザルシタビンからなる薬剤の群より選択される、請求項３７に記載の剤。
【請求項３９】 ＨＩＶ疾患の治療用である、請求項１〜３８のいずれかに記載の剤。
【請求項４０】  ＨＩＶの複製を減少させかつ以下の式を有するカンナビノール誘導体。
【化１０】
2002539246.tif 000010
式中、Ｒ1は、
ａ）Ｈ、
ｂ）Ｃ1-4アルキル基またはそのエステル
ｃ）ＣＯＯＨ、
ｄ）ＯＨ、
ｅ）モノもしくはジメチルアミノ基またはモノもしくはジエチルアミノ基で任意に置換されるＯ−Ｃ1-5アルキルまたはアルカノイル、
ｆ）カルボキシル基またはアミノ基を含むＯ−ＣＯ−Ｃ3-10アルキル基、
ｇ）
【化１１】
2002539246.tif 000011
式中、ｎ＝１〜８
ｈ）ｐ−アミノベンジル基もしくはＣ1-7アミノアルキル基またはその有機酸もしくは無機酸付加塩、ｐ−アミノベンジル基もしくはアミノアルキル基のイソシアネートまたはイソチオシアネート誘導体、１〜７個のさらなる炭素原子を有するアミノアルキル基の末端カルボキシル化誘導体またはその塩および末端カルボキシル化誘導体の活性化誘導体、
ｉ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ2は、
ａ）Ｈ、ＯＨまたはハロゲン
ｂ）Ｃ1-6カルボキシ基またはアルコキシ基であるか、あるいは
ｃ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ3は、
ａ）（Ｗ）m−Ｙ−（Ｚ）n、式中、
Ｗは少なくとも一つのハロゲンで任意に置換されるＣ5-12アルキル基、アルケニル基、アルキニル基、またはそれらの混合物、
Ｙは結合、Ｏ、Ｓ、ＳＯ、ＳＯ2、ＣＯ、ＮＨまたはＮ（Ｃ1-6アルキル）、
Ｚは、
ｉ）少なくとも一つのハロゲンで任意に置換され、末端芳香環で任意に置換されるＣ5-12アルキル基、アルケニル基、アルキニル基またはそれらの混合物、
ｉｉ）ＣＮ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）、あるいは
ｉｉｉ）ハロ、Ｃ1-6アルキル、Ｃ1-6アルコキシ、Ｃ1-6アルキルチオ、ＣＮ、ＣＦ3、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるフェニル基またはベンジル基であり、
また、式中、ｍとｎは同一または異なって、各々０または１であり、
ｂ）末端芳香環、ＣＮ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルキル基またはハロアルキル基、
ｃ）ハロゲン、ジチオレン、末端芳香環、ＣＮ、ＮＣＳ、ＣＯ2ＨもしくはＣＯ2Ｃ1-4アルキル、ＣＯＮＨ2、ＣＯＮＨＣ1-4アルキルまたはＣＯＮ（Ｃ1-4アルキル）2（式中、アミド窒素上の各Ｃ1-4アルキルは同一でも異なってもよい）で任意に置換されるＣ5-12アルケニル基またはアルキニル基であり、
Ｒ6とＲ6’は一緒になって＝Ｏまたは＝Ｓを形成するか、あるいは各々独立して
ａ）水素、
ｂ）Ｃ1-6アルコキシ、Ｃ1-6アルキルチオ、Ｃ1-6アルキルまたはＣ1-6ハロアルキル、
ｃ）ＣＮ、
ｄ）ＣＯ2Ｈ、
ｅ）ＣＯ2−Ｃ1-4アルキル、
ｆ）Ｃ（Ｙ）（Ｚ）−ＯＨ、
ｇ）Ｃ（Ｙ）（Ｚ）−Ｏ−Ｃ1-4アルキル、および
ｈ）Ｃ1-6アルキル−ＣＯ2−Ｙ、
（式中、ＹおよびＺは各々独立してＨまたはＣ1-6アルキルである）、
からなる群より選択され、
Ｒ7は、
ａ）ヒドロキシまたはラクトン、
ｂ）ハロ、
ｃ）Ｃ1-6アルコキシ、Ｃ1-6アルキルチオ、Ｃ1-6アルキルまたはＣ1-6ハロアルキル、
ｄ）ＣＮ、
ｅ）Ｎ3、
ｆ）ＣＯ2Ｈ、
ｇ）ＣＯ2−Ｃ1-4アルキル、
ｈ）Ｃ（Ｙ）（Ｚ）−ＯＨ、
ｉ）Ｃ（Ｙ）（Ｚ）−Ｏ−Ｃ1-4アルキル、
ｊ）Ｃ1-6アルキル−ＣＯ2−Ｙ、あるいは
ｋ）＝Ｏまたは＝Ｓであり、
式中、ＹおよびＺは各々独立してＨまたはＣ1-6アルキルであり、
Ｑは、
ａ）ＯまたはＳ、あるいは
ｂ）Ｎ−Ｗであり、式中、
Ｗは、
ｉ）水素、
ｉｉ）Ｃ1-6アルコキシアルキル、Ｃ1-6アルキルまたはＣ1-6ハロアルキル
ｉｉｉ）ＯＣ1-6アルキルまたはＯＣ1-6ハロアルキル
ｉｖ）ＣＮ、
ｖ）Ｃ1-6アルキル、
ｖｉ）Ｃ（Ｙ）（Ｚ）Ｃ1-4アルキル、あるいは
ｖｉｉ）Ｃ1-6アルキル−ＣＯ2−Ｚであり、
式中、ＹおよびＺは各々独立してＨまたはＣ1-6アルキルである。
【請求項４１】  Ｒ1がＨ、エステルまたはエーテルである請求項４０に記載のカンナビノール誘導体。
【請求項４２】  Ｒ2がヨウ素である請求項４０または４１に記載のカンナビノール誘導体。
【請求項４３】  Ｒ3が、分枝したアルキル鎖、アルケニル鎖またはアルキニル鎖である、請求項４０〜４２のいずれかに記載のカンナビノール誘導体。
【請求項４４】  Ｒ3が、少なくとも一つの二重結合を含む、末端が分枝したＣ6-12アルキル基である、請求項４０〜４２のいずれかに記載のカンナビノール誘導体。
【請求項４５】  Ｒ3が、ジ−、トリ−もしくはテトラメチルペンチル、−ヘキシルまたは−ヘプチルである、請求項４０〜４２のいずれかに記載のカンナビノール誘導体。
【請求項４６】  Ｒ3が、ハロゲン化されたか、あるいはかさ高い末端基を含む、請求項４０〜４２のいずれかに記載のカンナビノール誘導体。
【請求項４７】  Ｒ3が１，１，５−トリメチルヘキシル、１，１，５，５−テトラメチルヘキシルまたは１，１，５−トリメチル−ヘプト−４−エニルである、請求項４０〜４２のいずれかに記載のカンナビノール誘導体。
【請求項４８】  Ｒ3が、鎖のＣ4とＣ10の間の炭素原子において少なくとも一つの二重結合を有する炭素原子鎖を含む、請求項４０〜４２のいずれかに記載のカンナビノール誘導体。
【請求項４９】  Ｒ3が奇数の炭素原子を有する炭素原子鎖を含む、請求項４０〜４２のいずれかに記載のカンナビノール誘導体。
【請求項５０】  Ｒ3が−（ＣＨ2）1-6−ＣＯＮ（ＣＨ3）2である、請求項４０〜４２のいずれかに記載のカンナビノール誘導体。
【請求項５１】  Ｒ3がハロアルキルである、請求項４０〜４２のいずれかに記載のカンナビノール誘導体。
【請求項５２】  Ｒ6とＲ6’が一緒になって＝Ｏを形成するか、あるいは各々エチルである、請求項４０〜５１のいずれかに記載のカンナビノール誘導体。
【請求項５３】  Ｒ7が該Ｃ環の９位にある、請求項４０〜５２のいずれかに記載のカンナビノール誘導体。
【請求項５４】  Ｒ7がＣＯＯＨ、ハロゲン、β−ヒドロキシまたはラクトンである、請求項４０〜５３のいずれかに記載のカンナビノール誘導体。
【請求項５５】  以下の式を有するアルキル化されたレゾルシノール誘導体：
【化１２】
2002539246.tif 000012
式中、Ｒ1は、
ａ）Ｈ、
ｂ）Ｃ1-4アルキル基またはそのエステル、
ｃ）ＣＯＯＨ、
ｄ）ＯＨ、
ｅ）モノもしくはジメチルアミノ基またはモノもしくはジエチルアミノ基で任意に置換されるＯ−Ｃ1-5アルキルまたはアルカノイル、
ｆ）カルボキシル基またはアミノ基を含むＯ−ＣＯ−Ｃ3-10アルキル基、
ｇ）
【化１３】
2002539246.tif 000013
式中、ｎ＝１〜８、あるいは
ｈ）ｐ−アミノベンジル基もしくはＣ1-7アミノアルキル基またはその有機酸もしくは無機酸付加塩、ｐ−アミノベンジル基もしくはアミノアルキル基のイソシアネートまたはイソチオシアネート誘導体、１〜７個のさらなる炭素原子を有するアミノアルキル基の末端カルボキシル化誘導体またはその塩および該末端カルボキシル化誘導体の活性化誘導体であり、
Ｒ2は、Ｈ、ＯＨまたはハロゲンであるか、あるいは
Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ3は、
ａ）（Ｗ）m−Ｙ−（Ｚ）n、式中、
Ｗは少なくとも一つのハロゲンで任意に置換されるＣ5-12アルキル基、アルケニル基、アルキニル基またはそれらの混合物、
Ｙは結合、Ｏ、Ｓ、ＳＯ、ＳＯ2、ＣＯ、ＮＨ、Ｎ（Ｃ1-6アルキル）またはＮＣＳ、
Ｚは、
ｉ）少なくとも一つのハロゲンで任意に置換され、末端芳香環で任意に置換されるＣ5-12アルキル基、アルケニル基、アルキニル基またはそれらの混合物、
ｉｉ）ＣＮ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）、あるいは
ｉｉｉ）ハロ、Ｃ1-6アルキル、Ｃ1-6アルコキシ、Ｃ1-6アルキルチオ、ＣＮ、ＣＦ3、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるフェニル基またはベンジル基であり、
式中、ＷおよびＺの少なくとも一つが分枝鎖を含み、また、式中、ｍとｎは同一または異なって、各々０または１であり、
ｂ）末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換される、末端が分枝したＣ5-12アルキル基またはハロアルキル基、あるいは
ｃ）ハロゲン、ジチオレン、末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換される、末端が分枝したＣ5-12アルケニル基またはアルキニル基であり、
Ｒ4は、
ａ）Ｈ、
ｂ）ＯＨ、
ｃ）Ｃ1-6アルコキシまたはカルボキシルであり、
Ｒ5は、
ａ）Ｈ、
ｂ）Ｃ1-4アルキル基、
ｃ）ＣＯＯＨ、
ｄ）ＯＨ、あるいは
ｅ）少なくとも１つのモノもしくはジメチルアミノ基またはモノもしくはジエチルアミノ基で任意に置換されるＯ−Ｃ1-5アルキル（エーテル）またはアルカノイルであり、
Ｒ6は、
ａ）ＨまたはＯＨ、
ｂ）Ｃ1-4アルキル基、アルケニル基、アルキニル基またはそれらの混合物、
ｃ）Ｏ−Ｃ1-4アルキル基、アルケニル基、アルキニル基またはそれらの混合物、
ｄ）少なくとも一つのハロゲンで任意に置換される、プレニル基、ゲラニル基またはファルネシル基、
ｅ）（Ｗ）m−Ｙ−（Ｚ）n、式中、
Ｗは少なくとも一つのハロゲンで任意に置換されるＣ5-12アルキル基、アルケニル基、アルキニル基またはそれらの混合物、
Ｙは結合、Ｏ、Ｓ、ＳＯ、ＳＯ2、ＣＯ、ＮＨ、Ｎ（Ｃ1-6アルキル）またはＮＣＳ、
Ｚは、
ｉ）少なくとも一つのハロゲンで任意に置換され、末端芳香環で任意に置換されるＣ5-12アルキル基、アルケニル基、アルキニル基またはそれらの混合物、
ｉｉ）ＣＮ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）、あるいは
ｉｉｉ）ハロ、Ｃ1-6アルキル、Ｃ1-6アルコキシ、Ｃ1-6アルキルチオ、ＣＮ、ＣＦ3、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるフェニル基またはベンジル基であり、
式中、ＷおよびＺの少なくとも一つは分枝鎖を含み、また、ｍとｎは同一または異なって、各々０または１であり、
ｆ）末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換される、末端が分枝したＣ5-12アルキル基またはハロアルキル基、あるいは
ｇ）ハロゲン、ジチオレン、末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換される、末端が分枝したＣ5-12アルケニル基またはアルキニル基である。
【請求項５６】  Ｒ1がＯＨ、ＯＣＨ3、ラクトン、Ｈ、ＣＨ（ＣＨ3）ＣＯ2ＨまたはＯＣＯＣＨ3である、請求項５５に記載のアルキル化されたレゾルシノール。
【請求項５７】  Ｒ2がＨ、ＯＨ、ハロゲン、ＣＯＯＨまたはメトキシである、請求項５５または５６に記載のアルキル化されたレゾルシノール。
【請求項５８】  Ｒ3が分枝したアルキル鎖、アルケニル鎖またはアルキニル鎖である、請求項５５〜５７のいずれかに記載のアルキル化されたレゾルシノール。
【請求項５９】  Ｒ3が、少なくとも一つの二重結合を含む、末端が分枝したＣ6-12アルキル基である、請求項５５〜５７のいずれかに記載のアルキル化されたレゾルシノール。
【請求項６０】  Ｒ3が、ジ−、トリ−もしくはテトラメチルペンチル、−ヘキシルまたは−ヘプチルである、請求項５５〜５７のいずれかに記載のアルキル化されたレゾルシノール。
【請求項６１】  Ｒ3が、ハロゲン化されたか、あるいはかさ高い末端基を含む、請求項５５〜５７のいずれかに記載のアルキル化されたレゾルシノール。
【請求項６２】  Ｒ3が１，１，５−トリメチルヘキシル、１，１，５，５−テトラメチルヘキシルまたは１，１，５−トリメチル−ヘプト−４−エニルである、請求項５５〜５７のいずれかに記載のアルキル化されたレゾルシノール。
【請求項６３】  Ｒ3が、鎖のＣ4とＣ10の間の炭素原子において少なくとも一つの二重結合を有する炭素原子鎖を含む、請求項５５〜５７のいずれかに記載のアルキル化されたレゾルシノール。
【請求項６４】  Ｒ3が奇数の炭素原子を有する炭素原子鎖を含む、請求項５５〜５７のいずれかに記載のアルキル化されたレゾルシノール。
【請求項６５】  Ｒ3が−（ＣＨ2）1-6−ＣＯＮ（ＣＨ3）2である、請求項５５〜５７のいずれかに記載のアルキル化されたレゾルシノール。
【請求項６６】  Ｒ3がハロアルキルである、請求項５５〜５７のいずれかに記載のアルキル化されたレゾルシノール。
【請求項６７】  Ｒ5がラクトン、Ｈ、ＯＨまたはＯＣＨ3である、請求項５５〜６６のいずれかに記載のアルキル化されたレゾルシノール。
【請求項６８】  Ｒ6がＨ、ＯＨ、メチル、エチル、ＣＨ（ＣＨ3）ＣＯ2ＨＣＨ2ＣＯＯＨまたはＯＣＯＣＨ3である、請求項５５〜６７のいずれかに記載のアルキル化されたレゾルシノール。
【請求項６９】  Ｒ1がＯＨまたはＯＣＨ3であり、
Ｒ2がＨであり、
Ｒ3が１，１，５−トリメチルヘキシル、１，１，５，５−テトラメチルヘキシルまたは１，１，５−トリメチル−ヘプト−４−エニルであり、
Ｒ4がＨであり、
Ｒ5がＯＨまたはＯＣＨ3であり、かつ
Ｒ6がＨ、ＯＨ、メチルまたはエチルである、請求項５５に記載のアルキル化されたレゾルシノール。
【請求項７０】 請求項５５〜６９のいずれかに記載のアルキル化されたレゾルシノールを含有する、新生物の成長阻害剤。
【請求項７１】  以下の式を有するカンナビノールまたはその誘導体：
【化１４】
2002539246.tif 000014
式中、Ｒ1は、
ａ）Ｈ、
ｂ）Ｃ1-4アルキル基またはそのエステル、
ｃ）ＣＯＯＨ、
ｄ）ＯＨ、
ｅ）モノもしくはジメチルアミノ基またはモノもしくはジエチルアミノ基で任意に置換されるＯ−Ｃ1-5アルキルまたはアルカノイル、
ｆ）カルボキシル基またはアミノ基を含むＯ−ＣＯ−Ｃ3-10アルキル基、
ｇ）
【化１５】
2002539246.tif 000015
式中、ｎ＝１〜８、あるいは
ｈ）ｐ−アミノベンジル基もしくはＣ1-7アミノアルキル基またはその有機酸もしくは無機酸付加塩、ｐ−アミノベンジル基もしくはアミノアルキル基のイソシアネートまたはイソチオシアネート誘導体、１〜７個のさらなる炭素原子を有するアミノアルキル基の末端カルボキシル化誘導体またはその塩および該末端カルボキシル化誘導体の活性化誘導体、
ｉ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ2は、
ａ）Ｈ、ＯＨまたはハロゲン
ｂ）Ｃ1-6カルボキシ基またはアルコキシ基であるか、あるいは
ｃ）Ｒ1とＲ2は式−Ｏ（ＣＨ2）3-5の置換基を構成し、ここでＲ1とＲ2は、これらと結合する炭素原子とともに、その少なくとも１つの水素原子がハロゲンで任意に置換される環を構成し、
Ｒ3は、以下の式を有する末端分枝鎖：
ａ）（Ｗ）m−Ｙ−（Ｚ）n、式中、
Ｗは少なくとも一つのハロゲンで任意に置換されるＣ5-12アルキル基、アルケニル基、アルキニル基またはそれらの混合物、
Ｙは結合、Ｏ、Ｓ、ＳＯ、ＳＯ2、ＣＯ、ＮＨ、Ｎ（Ｃ1-6アルキル）またはＮＣＳ、
Ｚは、
ｉ）末端芳香環で任意に置換されるＣ5-12アルキル、アルケニル、アルキニルまたはハロアルキル、
ｉｉ）ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）、あるいは
ｉｉｉ）ハロ、Ｃ1-6アルキル、Ｃ1-6アルコキシ、Ｃ1-6アルキルチオ、ＣＮ、ＣＦ3、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるフェニル基またはベンジル基であり、
また、式中、ｍとｎは同一または異なって、各々０か１であり、
ｂ）末端芳香族環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルキル基またはハロアルキル基、あるいは
ｃ）ハロゲン、ジチオレン、末端芳香環、ＣＮ、ＮＣＳ、ＣＯ2ＨもしくはＣＯ2Ｃ1-4アルキル、ＣＯＮＨ2、ＣＯＮＨＣ1-4アルキルもしくはＣＯＮ（Ｃ1-4アルキル）2（式中、アミド窒素上の各Ｃ1-4アルキルは同一でも異なってもよい）で任意に置換されるＣ5-12アルケニル基またはアルキニル基であり、
Ｒ6とＲ6’は一緒になって＝Ｏまたは＝Ｓを形成するか、あるいは各々独立して
ａ）水素、
ｂ）Ｃ1-6アルコキシ、Ｃ1-6アルキルチオ、Ｃ1-6アルキルまたはＣ1-6ハロアルキル、
ｃ）ＣＮ、
ｄ）ＣＯ2Ｈ、
ｅ）ＣＯ2−Ｃ1-4アルキル、
ｆ）Ｃ（Ｙ）（Ｚ）−ＯＨ、
ｇ）Ｃ（Ｙ）（Ｚ）−Ｏ−Ｃ1-4アルキル、および
ｈ）Ｃ1-6アルキル−ＣＯ2−Ｙ、
（式中、ＹおよびＺは各々独立してＨまたはＣ1-6アルキルである）、
からなる群より選択され、
Ｒ7は、
ａ）ヒドロキシまたはラクトン、
ｂ）ハロ、
ｃ）Ｃ1-6アルコキシ、Ｃ1-6アルキルチオ、Ｃ1-6アルキルまたはＣ1-6ハロアルキル、
ｄ）ＣＮ、
ｅ）Ｎ3、
ｆ）ＣＯ2Ｈ、
ｇ）ＣＯ2−Ｃ1-4アルキル、
ｈ）Ｃ（Ｙ）（Ｚ）−ＯＨ、
ｉ）Ｃ（Ｙ）（Ｚ）−Ｏ−Ｃ1-4アルキル、
ｊ）Ｃ1-6アルキル−ＣＯ2−Ｙ、あるいは
ｋ）＝Ｏまたは＝Ｓであり、
式中、ＹおよびＺは各々独立してＨまたはＣ1-6アルキルであり、
Ｑは、
ａ）ＯまたはＳ、あるいは
ｂ）Ｎ−Ｗであり、式中、
Ｗは、
ｉ）水素、
ｉｉ）Ｃ1-6アルコキシアルキル、Ｃ1-6アルキルまたはＣ1-6ハロアルキル、
ｉｉｉ）ＯＣ1-6アルキルまたはＯＣ1-6ハロアルキル、
ｉｖ）ＣＮ、
ｖ）Ｃ1-6アルキル、
ｖｉ）Ｃ（Ｙ）（Ｚ）Ｃ1-4アルキル、あるいは
ｖｉｉ）Ｃ1-6アルキル−ＣＯ2−Ｚであり、
式中、ＹおよびＺはそれぞれ独立してＨまたはＣ1-6アルキルであり、
Ｃは、
【化１６】
2002539246.tif 000016
であり、式中、破線はΔ６位、Δ８位またはΔ９位のいずれかにおける二重結合を示す。
【請求項７２】  Ｃが、
【化１７】
2002539246.tif 000017
である、請求項７１に記載のカンナビノール誘導体。